(57)【要約】      （修正有）【課題】運搬・地震で揺れた家具から引き出し・扉・家具の中の収容物の飛び出しを防止するとともに家具を倒れにくくでき、飛び出した引き出し・扉・家具の中の収容物が人や物に当たる運搬、および地震等の二次災害を防ぐ地震感知飛び出し防止家具を提供する。【解決手段】食器棚、本箱など引き出し部をもつ家具において、運搬、移動、地震などの場合に引き出し部は開放を阻止して、引き込み用バネ２４により自動的に引き込む自動引込み機能を持つレール２７と、引き出しを押し込むと自動的にロック受け１９にロック金具２１がロックし、ハンドル７を引くとロックが解除されるロック機構を付ける。【選択図】  図５
2008043391.tif 000002
【特許請求の範囲】
【請求項１】
食器棚、本箱など引き出し部をもつ家具において、運搬、移動、地震などの場合に引き出し部は開放を阻止するために、自動的に引き込む機能と自動的にロックする機能を取り付けている閉止装置からなる引き出し部を有することを特徴とする自動引込み・ロック機能引き出し付き家具
【請求項２】
請求項１において、引き出し部の開放を阻止して、自動的に引き込む機能は、側板部とレール部からなり、側板の奥部に引っ込み用バネとバネ受けを取り付け、レール部にバンパー受けとオイルバンパーを取り付けていることを特徴とする自動引込み・ロック機能引き出し付き家具。
【請求項３】
請求項１において、引き出し部のロック機能は、引き出しの外部面に取手レーバーと、内部面にレーバーハンドルと連動しているロック金具とスットパのロック受けを取り付けていることを特徴とする自動引込み・ロック機能引き出し付き家具
【発明の詳細な説明】
【技術分野】
【０００１】
本発明は、食器棚、本箱、机などの引き出しを持つ家具の引き出しが地震、運搬、移動の際に飛び出すことを防止する地震・運搬時飛び出し防止を持った家具に関する。食器棚などの家具用引出し部において、自動引込み・ロック機能を有する引き出し付家具に関するものである。
【背景技術】
【０００２】
従来、運搬、あるいは地震等で家具が大きく揺れると、引き出しが飛び出したり、扉が開いて中身が飛び出して人がケガしたり、物が破損する恐れがあった。また、このように引き出しや扉が動き、中身を動くことによって家具がバランスを崩して倒れ易くなることもあった。とくに地震の場合にはこのような家具の倒れや中身、引き出しの飛び出しは非常に危険で地震等の二次災害として恐ろしいものである。従来から引出しを手前に引いた際に引出しが前方に外れないように引き出しストッパを設けることが知られている（特許文献１参照）。
従来の引出しストッパーは引出しを出し入れ自在に支持してガイドするためのレール、ローラー等からなるスライドガイド部分にストッパを設けており、これらのものは金属製のレールに特別な加工を施して引き出しストッパを形成し、引き出しを引いた際に引き出しに設けたころが引き出しストッパに当るようにしているのが大部分である（特許文献２参照）。このように、引出しストッパをスライドガイド部分に形成するため、構造が複雑であり、また、金属製のレールには引き出しストッパの加工ができるが、木製の引出し等にはローラーを設けないのが一般的であり、したがって、木製の引出しを出し入れ自在としたものにおいては引き出しストッパを設けないのが一般的である（特許文献３参照〜特許文献５参照）。
【０００３】
【特許文献１】特開平０８−６６２６０号公報
【特許文献２】特開平１１−２９０１４７号公報
【特許文献３】特開２０００−９３２４３号公報
【特許文献４】特開２０００−９３２４６号公報
【特許文献５】特開２００５−３３６９９２号公報
【発明の開示】
【発明が解決しようとする課題】
【０００４】
本発明が解決しようとする課題は従来のこれらの問題点を解消し、運搬・地震で揺れた家具から引き出し・扉・家具の中の収容物の飛び出しを防止するとともに家具を倒れにくくでき、飛び出した引き出し・扉・家具の中の収容物が人や物に当たる運搬、および地震等の二次災害を防ぐ飛び出し防止家具を提供することにある。
本発明は上記の点に鑑みてなされたものであり、簡単な構成で引き出しの前方への外れを防止するための引き出しストッパを形成することができ、また、把手枠を取り付けたものにおいて前方側にねじ具の頭部が露出せず、外観が良いと共にねじ具の頭部が指に引っ掛かるおそれがなく、更に、把手枠に指を掛けて引き出しを引っ張る際に、引き出し部が緩んだり、中途半端な開き方のないような状態にした自動引っ込み・ロックできる引出し部を持っている食器棚などの家具を提供することを課題とするものである。
【課題を解決するための手段】
【０００５】
本発明は食器棚、本箱など引き出し部をもつ家具において、運搬、移動、地震などの場合に引き出し部は開放を阻止して、自動的に引き込む機能と自動的にロックする機能を取り付けている閉止装置からなる引き出し部を有する自動引込み・ロック機能引き出し付き家具である。
引き出し部の開放を阻止して、自動的に引き込む機能は、側板部とレール部からなり、側板の奥部に引っ込み用バネとバネ受けを取り付け、レール部にバンパー受けとオイルダンパーを取り付けている。また引き出し部のロック機能は、引き出しの外部面に取手レーバーと、内部面にレーバーハンドルと連動しているロック金具とスットパのロック受けを取り付けている自動引込み・ロック機能引き出し付き家具である。
【０００６】
本発明では、食器棚、本箱などの家具が大きな揺れや傾きが家具本体で起きると、引き出しのガイドに誘導されて受部上に移動する。受部上に重りが位置することによって引き出し又は扉が揺れにより開こうとすると、ロックピンが係止フックに係止するようにし、その後扉を閉じ側に移動させ、ロックピンを係止溝から復路に移動して、ロックピンのストッパーとの係止に役立つものである。
【発明の効果】
【０００７】
家具の揺れや傾きに対して感知式タイプではないので、誤作動によるロックの解除をする必要がなく、地震などの揺れの大きさや傾きの角度に関係なく、引出し使用時以外には常時にロック状態になっているため、ロックと解除の状態を確認できる安全な機能である。
【発明を実施するための最良の形態】
【０００８】
家具としては、タンス・机・本棚・食器棚等があり、引き出しや扉を用いたものであれば、どのようなものでもよい。ストッパとしては切り欠き、突起物などがあり、引き出しや扉に設けてもよく、家具本体、引き出し、扉と同材でも異材でもよい。
【実施例】
【０００９】
本発明の実施例について図面参照にして具体的に説明する。図1に示すように. 自動引込み・ロック機能引き出し付き家具は家電や食器・台所用品等を収納するためのものである。とくにこの食器棚の引出しに於いては７のハンドルを引くことにより４の引出しに取付けた２１のロックが解除される自動引込み・ロック機能付き引出し収納機能を備え、それぞれが機能を持ち、その寸法は幅１５００ｍｍ、高さ２０００ｍｍ、奥行４８０ｍｍの食器棚である。
図２は図１の側面図であり、図３は内部仕様を示すものである。６のカウンターは、熱や傷・調味料による汚染に強いメラミン化粧板を使用しており、可動式棚板は、収納物の高さに合わされるように棚板の位置を変えることができる。また棚板がズレないように棚板が棚ダボに乗る部分をズレ防止に対して加工している。
【００１０】
図４にロック機能を示す。Ａは引き出し部がロックされた状態であり、Ｂはロックが解除された状態を示す。図５において、引出しの自動引込みは、２７の自動引込みレールの機能によるものであり、自動引込みレールによって引込まれた２１のロック金具を備えた４の引出しが引込まれている。また図５に示すように１９のロック受けに２１のロック金具がロックされる。ロック解除は４の引出し外部取付けた７のハンドル引くことで、２１のロック金具のスライダーが下がって１９のロック受けのツメから外れてロック解除される。さらに図６に示しているように、Ｃは引き出し部がロック解除され、引込み前の状態を示しており、またＤは引き出し部がロックされて、引っ込みの状態を示している。引出しは自動引込み及び自動ロックさせるための構造になっている。
【図面の簡単な説明】
【００１１】
【図１】自動引込ロック機能付き食器棚の正面図
【図２】自動引込ロック機能付き食器棚の側面図
【図３】自動引込ロック機能付き食器棚の内部
【図４】ロック機能図、（Ａ：ロック状態、Ｂ：ロック解除状態）
【図５】引出部詳細図
【図６】自動引込機能図（Ｃ：ロック解除及び引込み前の状態、Ｄ：ロック及び引込みの状態）
【符号の説明】
【００１２】
２７  自動引込レール
１９  ロック受け 
２１  ロック金具
７    ハンドル
４    引出し
２４  引き込み用バネ
２５  バネ受け
２６  ダンパー受け
２７  オイルダンパー
【図１】
2008043391.tif 000003
【図２】
2008043391.tif 000004
【図３】
2008043391.tif 000005
【図４】
2008043391.tif 000006
【図５】
2008043391.tif 000007
【図６】
2008043391.tif 000008